(57)【要約】【課題】文字列に対する訂正時の誤操作の恐れを解消する。【解決手段】処理がスタートされ、ステップ〔１〕で入力文字列の検索が終了して該当索引語が無かった場合には、ステップ〔２〕で入力文字列中に、例えば「０」〜「４」「−」の声調を表す符号があるか否か判断される。そしてステップ〔２〕で符号があるとき（ＹＥＳ）は、ステップ〔３〕で表示される文字列中の「０」〜「４」「−」の符号を削除して、ステップ〔４〕で入力画面に戻り訂正が行われる。また、ステップ〔２〕で符号が無いとき（ＮＯ）は、そのままステップ〔４〕で入力画面に戻り訂正が行われる。【選択図】図１
2007115273.tif 000002
【特許請求の範囲】
【請求項１】
索引語及びこの索引語に対応する説明文の対が複数記憶された記憶手段と、
上記索引語を入力する入力手段と、
上記入力手段によって入力された索引語に対応する説明文を検索する検索手段と、
上記検索手段による検索の履歴を記録する検索履歴記録手段と、
上記入力手段による入力結果と検索結果を表示する表示手段とを有し、
上記入力された索引語により上記記憶手段を検索してこの検索された索引語に対応する上記説明文を上記表示手段により表示し、又は過去に検索された履歴に基づいて選択された索引語に対応する上記説明文を上記表示手段により表示するようにした検索装置において、
上記入力手段にて上記索引語に声調に係わる所定の符号を付加して入力された索引語により上記記憶手段の検索を行うと共に当該検索の履歴を上記検索履歴記録手段により記録し、当該検索の結果を上記表示手段により表示し、
上記検索が不成功のときは上記入力の表示から上記声調に係わる所定の符号を除いた索引語により上記記憶手段の再検索を行うと共に当該再検索の履歴を上記検索履歴記録手段により記録し、当該再検索の結果を上記表示手段により表示する
ことを特徴とする検索装置。
【請求項２】
上記入力手段にて中国語の上記索引語を入力する場合に、
上記声調に係わる所定の符号として中国語の四声に相当する任意の符号を付加して入力された上記索引語により上記記憶媒体の検索を行うと共に、
上記検索が不成功のときは上記入力の表示から上記四声に相当する符号を除いて表示を行う
ことを特徴とする請求項１記載の検索装置。
【発明の詳細な説明】
【技術分野】
【０００１】
本発明は、例えば電子ブック（８センチＣＤ−ＲＯＭ）や、１２センチＣＤ−ＲＯＭ、ＤＶＤ−ＲＯＭ、半導体ＲＯＭ等の記憶媒体から、入力された索引語を検索し、その検索された索引語に対応する説明文等の表示を行う場合に使用して好適な検索装置に関するものである。
【背景技術】
【０００２】
例えば記憶媒体として、いわゆる電子ブック（８センチＣＤ−ＲＯＭ）を使用する検索装置（電子ブックプレーヤ）が実施されている。
【０００３】
すなわち図３はこのような検索装置７０の一例の外観を示す。この図３において、検索装置７０は、例えば全体として二つ折りとなる形状を有し、この二つ折りの本体７１側には、後述する各種のキー入力装置７２と共に、記憶媒体としての電子ブック７３の挿入されるスロット７４が設けられる。また、二つ折りの蓋体７５側には液晶表示装置等のディスプレイ部７６が設けられると共に、音声発生用のスピーカ７７等が設けられる。
【０００４】
さらに図４には、検索装置７０の内部回路を説明するブロック図を示す。この図４において、記憶媒体としての電子ブック（図示せず）は、例えば光ディスクドライブ装置８１に装着される。この光ディスクドライブ装置８１は、電子ブックに内蔵される光ディスク（８センチＣＤ−ＲＯＭ）を回転駆動すると共に、この光ディスクに記憶されている情報（文字、画像、音声等）データを読み出す（再生する）ものである。
【０００５】
すなわちこの光ディスクドライブ装置８１は、光ディスクを回転させるスピンドルモータ、光ディスクから情報データを読み出す光学ピックアップ、その光学ピックアップを光ディスクの半径方向に移動させるスレッドモータ、光ディスクを線速一定で回転させるようにスピンドルモータを制御するスピンドルサーボ手段、光学ピックアップからの集光レーザビームを光ディスクのトラックにトラッキングをとって照射させるトラッキングサーボ手段、光学ピックアップからの集光レーザビームを光ディスクの面に焦点を結ばせるように制御するフォーカスサーボ手段、光学ピックアップによって再生された再生信号を信号処理する信号処理手段等を備えている。
【０００６】
そして、この光ディスクドライブ装置８１の光学ピックアップによって読み取られた情報データは、データ処理部８２に供給されてデータの復調等の処理が行われ、その復調された情報データはインターフェース８３を通じてＣＰＵ８４に供給される。
【０００７】
このＣＰＵ８４には、メインＲＯＭ８５及びメインＲＡＭ８６が接続されている。ここでＲＯＭ８５には、ＣＰＵ８４に検索装置７０の全体の制御、情報の検索等を行わせるためのプログラムが格納されている。従って上述の光ディスクドライブ装置８１は、このＣＰＵ８４によってサーチ、停止等が制御される。またＲＡＭ８６にはオペランド等が書き込まれ、またそれが読み出される。
【０００８】
さらに上述のキー入力装置７２は、インターフェース８３を通じてＣＰＵ８４に接続される。このキー入力装置７２には、例えば図５に示すように、電源オン／オフキー９１、シフトキー９２、例えば５個のファンクションキー９３、アルファベットキー９４、ＹＥＳキー９５、ＮＯキー９６、カーソル移動キー９７、入力モードキー９８、文字拡大キー９９等を備えている。そしてこのキー入力装置７２からの入力がＣＰＵ８４に供給されることによって、検索装置７０の全体の制御、情報の検索等が実行される。
【０００９】
また、ＣＰＵ８４からの表示データは、インターフェース８３を通じて表示制御装置８８に供給される。この表示制御装置８８には、表示用のビデオＲＡＭ（Ｖ−ＲＡＭ）８９が接続されており、表示制御装置８８に供給された表示データは、このＶ−ＲＡＭ８９に書き込まれ、このＶ−ＲＡＭ８９から読み出された表示データは、表示制御装置８８で表示信号に変換された後、その表示信号が上述のディスプレイ部７６に供給されて表示が行われる。
【００１０】
さらに電源８０は、電池（乾電池）、充電式電池、交流電圧を整流する整流装置等で構成され、例えば上述の電源オン／オフキー９１を一度操作することによって電源８０がオンされると共に、電源オン／オフキー９１を再度操作することによって電源８０がオフされる。またこの電源８０は、例えば整流装置の電源供給端子（プラグ）及び検索装置７０の電源入力端子（ジャック）間の接続を解除したり、電池、充電式電池を外すとオフになる。またその他に、電子ブック７３を検索装置７０から脱却すると電源８０がオフになるように構成されている。
【発明の開示】
【発明が解決しようとする課題】
【００１１】
ところでこのような検索装置７０において、例えば英和辞典及び和英辞典の情報データが記憶された記憶媒体としての電子ブック７３から、任意の索引語の検索を行う場合には、例えば以下に述べるような処理が行われる。この場合に、電子ブック７３には、ある言語（例えば英語または日本語）の単語と、その単語に対応する異なる言語（例えば日本語または英語）の単語及びその説明（意味）の対が複数（多数）記憶されている。
【００１２】
またこの種の検索装置７０では、例えば入力された索引語に対応する説明文を検索すると共に、入力された索引語の文字列コード及びその索引語に対応する説明文の電子ブック７３におけるアドレスをＲＡＭ８６及びＶ−ＲＡＭ８９に記憶しておき、履歴検索が選択されたときはこれらの記憶内容から入力された索引語及びその索引語に対応する説明文のリストを表示し、そのリストの中から任意に選択した索引語からその索引語に対応する説明文を検索するようにしている。
【００１３】
すなわち以下の説明は、例えば入力された索引語に対応する説明文を検索すると共に、検索された履歴データの保存と保守を行うためのものである。そしてこのような検索等を行うための手段として、本願出願人は先に、例えば図６のフローチャートに示すような処理手段を提案（特願平８−２５９５０１号）した。
【００１４】
図６において、ステップ〔７１〕では、例えば使用者の電源オン／オフキー９１の操作によって電源８０がオンされる。次にステップ〔７２〕では、ＲＡＭ８６及びＶ−ＲＡＭ８９の所定の記憶領域に、選択された全該当索引語の文字列コード及びそれぞれ該当索引語に対応する説明文の電子ブック７３におけるアドレスが全くないか否かを判断する。
【００１５】
このステップ〔７２〕の判断でＮＯのとき、すなわちＲＡＭ８６及びＶ−ＲＡＭ８９の所定の記憶領域の一部または全部に、選択された全該当索引語の文字列コードの一部または全部及びそれぞれ該当索引語に対応する説明文の電子ブック７３におけるアドレスの全部または一部があれば、ステップ〔７３〕に移行する。またステップ〔７２〕の判断でＹＥＳのとき、すなわちＲＡＭ８６及びＶ−ＲＡＭ８９の所定の記憶領域に全くデータがないときは、後述のステップ〔７８〕に移行する。
【００１６】
さらにステップ〔７３〕では、ＣＰＵ８４の制御によってＶ−ＲＡＭ８９の上述の所定の記憶領域の記憶内容を所定バイト（またはビット、この例では１バイト）ずつ比較した後、ステップ〔７４〕に移行する。ステップ〔７４〕では、ＣＰＵ８４がＶ−ＲＡＭ８９の所定の記憶領域の記憶内容が完全に一致したか否かを判断する。このステップ〔７４〕の判断でＹＥＳのときはステップ〔７５〕に移行し、ＮＯのときは後述のステップ〔７８〕に移行する。
【００１７】
またステップ〔７５〕では、Ｖ−ＲＡＭ８９の所定の記憶領域に記憶されている選択された全該当索引語の文字列コード及びそれぞれ該当索引語に対応する説明文の電子ブック７３におけるアドレスを、ＲＡＭ８６の上述の所定の記憶領域に転送する。このためＲＡＭ８６の所定の記憶領域にデータが記憶されていても、それはＶ−ＲＡＭ８９からのデータで置換される。
【００１８】
さらにステップ〔７６〕では、例えば履歴検索が選択されたか否かを判別し、ＹＥＳのときはステップ〔７７〕に移行し、ＮＯときはステップ〔８１〕に移行する。なお履歴検索を選択するときは、例えば上述の５個のファンクションキー９３のうちの所定のキーを操作することによって行う。
【００１９】
またステップ〔７７〕では、ＣＰＵ８４の制御によって、今までに選択された該当索引語の一覧表（履歴索引語）を、例えば図７のＡに示すようにディスプレイ部７６に表示させる。そしてステップ〔７７〕の次には、ステップ〔８５〕に移行する。
【００２０】
このステップ〔８５〕では、例えば使用者のキー入力装置７２のキー入力によって、該当索引語の一覧表から、該当索引語を選択する。すなわち図７の例では「下顎」が選択される。ステップ〔８５〕の次には、ステップ〔８９〕に移行し、電源がオフか否かの判断を行い、ＹＥＳであれば終わりとなり、ＮＯのときはステップ〔８６〕に移行する。
【００２１】
このステップ〔８６〕では、電子ブック７３から、ＣＰＵ８４が「下顎」に対応する説明文を検索する。ステップ〔８６〕の次には、ステップ〔８９〕に移行して、電源がオフか否かの判断を行い、ＹＥＳであれば終わりとなり、ＮＯのときはステップ〔８７〕に移行する。
【００２２】
このステップ〔８７〕では、ＣＰＵ８４の制御によって、選択された索引語（ここでは「下顎」）の文字列コード及び索引語に対応する説明文の電子ブック７３におけるアドレスを、ＲＡＭ８６の所定の１か所及びＶ−ＲＡＭ８９の所定の２か所に書き込む。ここでＶ−ＲＡＭ８９の２か所の記憶領域に書き込むデータは同じデータである。ステップ〔８７〕の次には、ステップ〔８９〕に移行して、電源がオフか否かの判断を行い、ＹＥＳであれば終わりとなり、ＮＯのときはステップ〔８８〕に移行する。
【００２３】
このステップ〔８８〕では、ＣＰＵ８４の制御によって、例えば図７のＢに示すようにディスプレイ部７６に選択された該当索引語に対応する説明文を表示させる。すなわち図７のＢの例では「下顎」の英語の意味等が表示される。なお図７のＢの例では，電子ブック７３で「下顎」の説明文の次に記憶されている「化学」の説明文も表示されている。
【００２４】
さらにステップ〔７２〕でＹＥＳのとき、すなわちＲＡＭ８６の所定の記憶領域及びＶ−ＲＡＭ８９の所定の記憶領域に全くデータがないとき、及びステップ〔７４〕でＶ−ＲＡＭ８９の記憶領域の記憶内容が一致しなかったときは、ステップ〔７８〕に移行する。ステップ〔７８〕では、ＣＰＵ８４の制御によって、ＲＡＭ８６の所定の記憶領域及びＶ−ＲＡＭ８９の所定の記憶領域に記憶されている全該当索引語の文字列コード及びそれぞれの該当索引語に対応する説明文の電子ブック７３における全アドレスを消去する。
【００２５】
このステップ〔７８〕の次には、ステップ〔７９〕に移行する。このステップ〔７９〕では、履歴検索が選択されたか否かが判断され、ＹＥＳのときはステップ〔８０〕に移行し、ＮＯのときはステップ〔８１〕に移行する。ステップ〔８０〕では、ＣＰＵ８４の制御によって、ディスプレイ部７６に履歴索引はできない旨（図７のＣ）を表示させる。ステップ〔８０〕の次は、ステップ〔８１〕に移行する。
【００２６】
このステップ〔８１〕では、ＣＰＵ８４の制御に基づいて、ディスプレイ部７６に入力画面を表示させる。図８のＡに入力画面の一例を示し、ここでは英和単語の前方一致検索の入力画面である。ステップ〔８１〕の次には、ステップ〔８９〕に移行して、電源がオフか否かの判断を行い、ＹＥＳであれば終わりとなり、ＮＯのときはステップ〔８２〕に移行する。
【００２７】
このステップ〔８２〕では、使用者のキー入力装置７２のキー入力によって索引語の入力を行う。すなわち例えば図８のＡに示す如く、例えば英単語「ｓｈｉｒｔ」を入力する。ステップ〔８２〕の次には、ステップ〔８９〕に移行して、電源がオフか否かの判断を行い、ＹＥＳであれば終わりとなり、ＮＯのときはステップ〔８３〕に移行する。
【００２８】
このステップ〔８３〕では、電子ブック７３からＣＰＵ８４が「ｓｈｉｒｔ」を含む英単語の索引語を検索する。ステップ〔８３〕の次には、ステップ〔８９〕に移行して、電源がオフか否かの判断を行い、ＹＥＳであれば終わりとなり、ＮＯのときはステップ〔８４〕に移行する。
【００２９】
このステップ〔８４〕では、ＣＰＵ８４の制御によって、ディスプレイ部７６に該当索引語の一覧表を表示させる。図８のＢに該当索引語の一覧表の一例を示し、この例では１１件の該当索引語は表示される。なお表示しきれない該当索引語は、次頁以降に亘って表示される。ステップ〔８４〕の次には、ステップ〔８９〕に移行して、電源がオフか否かの判断を行い、ＹＥＳであれば終わりとなり、ＮＯのときはステップ〔８５〕に移行する。
【００３０】
このステップ〔８５〕では、使用者のキー入力装置７２のキー入力によって、該当索引語を選択する。すなわち図８の例では、該当索引語「ｓｈｉｒｔ」が選択される。ステップ〔８５〕の次には、ステップ〔８９〕に移行して、電源がオフか否かの判断を行い、ＹＥＳであれば終わりとなり、ＮＯのときはステップ〔８６〕に移行する。
【００３１】
このステップ〔８６〕では、電子ブック７３から、ＣＰＵ８４が「ｓｈｉｒｔ」に対応する説明文を検索する。ステップ〔８６〕の次には、ステップ〔８９〕に移行して、電源がオフか否かの判断を行い、ＹＥＳであれば終わりとなり、ＮＯのときはステップ〔８７〕に移行する。
【００３２】
このステップ〔８７〕では、ＣＰＵ８４の制御によって、選択された索引語（ここでは「ｓｈｉｒｔ」）の文字列コード及び索引語に対応する説明文の電子ブック７３におけるアドレスを、ＲＡＭ８６の所定の１か所及びＶ−ＲＡＭ８９の所定の２か所に書き込む。Ｖ−ＲＡＭ８９の２か所の記憶領域に書き込むデータは同じデータである。ステップ〔８７〕の次には、ステップ〔８９〕に移行して、電源がオフか否かの判断を行い、ＹＥＳであれば終わりとなり、ＮＯのときはステップ〔８８〕に移行する。
【００３３】
このステップ〔８８〕では、ＣＰＵ８４の制御によって、選択された説明文をディスプレイ部７６に表示させる。選択された説明文の一例を図８のＣに示す。ステップ〔８８〕の次には、ステップ〔８９〕に移行して、電源がオフか否かの判断を行い、ＹＥＳであれば終わりとなり、ＮＯのときはステップ〔８１〕に戻る。なお以上の説明で検索が完全一致検索の場合には、上述のステップ〔８３、８４、８５〕は省略される。
【００３４】
このようにして上述の検索装置７０においては、例えば入力された索引語に対応する説明文を検索すると共に、入力された索引語の履歴が記憶され、履歴リストを用いた検索が行われ、さらにこれらの履歴データの保存と保守が行われるものである。
【００３５】
ところが上述の検索装置７０において、例えば中国語の索引語の入力を行おうとする場合に、例えば中国語のピンイン検索では、いわゆる四声と呼ばれる声調の入力が必要とされる。すなわち中国語のピンイン検索では、その母音に例えば図９のＡに示すような４種類の記号を用いて四声を表すようにしている。なお声調の無い軽声の母音には記号は付加されない。
【００３６】
これに対して上述の例えば電子ブックプレーヤのような検索装置では、このような記号の入力手段を持たないために、例えば図９のＢに示すように数字を用いて四声を入力するようにした。すなわちこの例では、声調の無い軽声の母音には「０」、１声の母音には「１」、２声の母音には「２」、３声の母音には「３」、４声の母音には「４」を付加して四声を表すようにしている。
【００３７】
一方、上述の例えば電子ブックプレーヤのような検索装置で、例えば入力された文字列に誤りがあった場合には、例えば上述のカーソル移動キー９７の内の後退「←」キーを操作することによって、文字列の末尾側から１文字ずつ削除するようにされている。従って、例えば図１０のＡに示すような文字列「ＡＢ１ＣＤＥＦ４」の３番目の「１」を訂正したい場合には、後退「←」キーによって文字列の末尾から「４ＦＥＤＣ１」を削除して訂正を行うことになる。
【００３８】
しかしながらこのような訂正を行う場合に、例えば上述の声調の符号を含む場合には、この符号の分だけ削除される文字数が増すことになる。そしてこのような文字の削除では、声調の符号を含む場合のように本来の文字の数と異なると、操作の誤りを生じ易くなる。また、特に上述のように同じ後退「←」キーを繰り返し操作している場合には、操作の回数が判らなくなって誤操作を生じやすくなるものである。
【００３９】
この出願はこのような点に鑑みて成されたものであって、解決しようとする問題点は、従来の装置では、例えば中国語のピンイン検索のような声調を伴って索引語の検索を行う場合に、入力文字列の訂正で誤操作を生じやすくなるというものである。
【課題を解決するための手段】
【００４０】
このため本発明においては、入力を訂正するときは入力の表示から声調に係わる符号を除くようにしたものであって、これによれば、本来の文字列に対して訂正が行われ、誤操作の恐れを解消することができる。
【発明の効果】
【００４１】
この発明によれば、入力を訂正するときは入力の表示から声調に係わる符号を除くようにしたことによって、本来の文字列に対して訂正が行われ、誤操作の恐れを解消することができるようになった。
【００４２】
これによって、従来の装置では、例えば中国語のピンイン検索のような声調を伴って索引語の検索を行う場合に、入力文字列の訂正で誤操作を生じやすくなる問題点があったものを、本発明によればこのような問題点を解消することができ、特に同じキーを繰り返し操作している場合には、操作の回数が判らなくなって誤操作を生じやすくなる恐れを解消することができるものである。
【００４３】
さらに上述の入力された文字列の符号が削除された状態で再度検索を行うことによって、例えば声調の符号のみの誤りの場合には、検索によって索引語を取得して検索を成功させることができ、検索によって「該当なし」になる確率を下げることもできるものである。
【発明を実施するための最良の形態】
【００４４】
すなわち本発明は、索引語及びこの索引語に対応する説明文の対が複数記憶された記憶手段と、索引語を入力する入力手段と、入力手段によって入力された索引語に対応する説明文を検索する検索手段と、検索手段による検索の履歴を記録する検索履歴記録手段と、入力手段による入力結果と検索結果を表示する表示手段とを有し、入力された索引語により記憶手段を検索してこの検索された索引語に対応する説明文を表示手段により表示し、又は過去に検索された履歴に基づいて選択された索引語に対応する説明文を表示手段により表示するようにした検索装置において、入力手段にて索引語に声調に係わる所定の符号を付加して入力された索引語により記憶手段の検索を行うと共に当該検索の履歴を検索履歴記録手段により記録し、当該検索の結果を表示手段により表示し、検索が不成功のときは入力の表示から声調に係わる所定の符号を除いた索引語により記憶手段の再検索を行うと共に当該再検索の履歴を検索履歴記録手段により記録し、当該再検索の結果を表示手段により表示を行ってなるものである。
【００４５】
以下、図面を参照して本発明を説明するに、まず本発明の検索装置においては、上述の例えば図５に示すキー入力装置７２に、声調の入力を行うキーが設けられる。なおこの声調入力キーは、例えば上述の文字拡大キー９９の機能を、例えば電子ブック７３に設けられるプログラムをメインＲＡＭ８６に転送することで、その機能を変更して用いられるものである。
【００４６】
また本発明の検索装置において、声調が不明のときは声調の符号、例えば「０」〜「４」に代えて特定の符号、例えば「−」を付加して索引語の入力を行うように定められる。このようにして入力された文字列の検索が行われる。さらに、例えば入力された文字列に誤りがあった場合には、例えばカーソル移動キー９７の内の後退「←」キーを操作することによって、文字列の末尾側から１文字ずつ削除するようにされている。
【００４７】
そして図１は本発明を適用した検索装置で行われる処理の一例を示すフローチャート図である。
【００４８】
この図１において、処理がスタートされ、ステップ〔１〕で入力文字列の検索が終了して該当索引語が無かった場合には、ステップ〔２〕で入力文字列中に、例えば「０」〜「４」「−」の声調を表す符号があるか否か判断される。
【００４９】
そしてステップ〔２〕で符号があるとき（ＹＥＳ）は、ステップ〔３〕で表示される文字列中の「０」〜「４」「−」の符号を削除して、ステップ〔４〕で入力画面に戻り訂正が行われる。また、ステップ〔２〕で符号が無いとき（ＮＯ）は、そのままステップ〔４〕で入力画面に戻り訂正が行われる。
【００５０】
これによってこの装置において、例えば図２のＡに示すような文字列「ＡＢ１ＣＤＥＦ４」を訂正する場合には、例えば図２のＢに示すように文字列の表示が「０」〜「４」「−」の符号を削除した「ＡＢＣＤＥＦ」に変更される。そして例えば３番目の「１」を訂正したい場合には、後退「←」キーによって文字列の末尾から「ＦＥＤＣ」を削除して訂正を行うことになる。
【００５１】
そしてこの場合に、文字数が本来の文字の数と等しくなるので、誤操作の恐れを少なくすることができる。また、特に上述のように同じ後退「←」キーを繰り返し操作している場合には、操作の回数が少なくなるので誤操作の恐れを減少させることができる。
【００５２】
さらに上述の入力された文字列の符号が削除された状態で再度検索を行うことによって、例えば声調の符号のみの誤りの場合には、検索によって索引語を取得して検索を成功させることができ、検索によって「該当なし」になる確率を下げることもできる。すなわち、例えば声調の符号を除いた場合には、声調の符号に捉われない分の検索される範囲が拡大するので、検索が不成功となる確率が下がることになる。ただし、その分の検索語に該当する説明文の数は増加し、使用者はより多くの説明文の中から目的のものを探すことになるものである。
【００５３】
従ってこの装置において、入力を訂正するときは入力の表示から声調に係わる符号を除くようにしたことによって、本来の文字列に対して訂正が行われ、誤操作の恐れを解消することができる。
【００５４】
これによって、従来の装置では、例えば中国語のピンイン検索のような声調を伴って索引語の検索を行う場合に、入力文字列の訂正で誤操作を生じやすくなる問題点があったものを、本発明によればこのような問題点を解消することができ、特に同じキーを繰り返し操作している場合には、操作の回数が判らなくなって誤操作を生じやすくなる恐れを解消することができる。
【００５５】
さらに上述の入力された文字列の符号が削除された状態で再度検索を行うことによって、例えば声調の符号のみの誤りの場合には、検索によって索引語を取得して検索を成功させることができ、検索によって「該当なし」になる確率を下げることもできる。
【００５６】
こうして上述の検索装置によれば、索引語及びこの索引語に対応する説明文の対が複数記憶された記憶手段と、索引語を入力する入力手段と、入力手段によって入力された索引語に対応する説明文を検索する検索手段と、検索手段による検索の履歴を記録する検索履歴記録手段と、入力手段による入力結果と検索結果を表示する表示手段とを有し、入力された索引語により記憶手段を検索してこの検索された索引語に対応する説明文を表示手段により表示し、又は過去に検索された履歴に基づいて選択された索引語に対応する説明文を表示手段により表示するようにした検索装置において、入力手段にて索引語に声調に係わる所定の符号を付加して入力された索引語により記憶手段の検索を行うと共に当該検索の履歴を検索履歴記録手段により記録し、当該検索の結果を表示手段により表示し、検索が不成功のときは入力の表示から声調に係わる所定の符号を除いた索引語により記憶手段の再検索を行うと共に当該再検索の履歴を検索履歴記録手段により記録し、当該再検索の結果を表示手段により表示することができるものである。
【図面の簡単な説明】
【００５７】
【図１】本発明を適用した検索装置で行われる処理の一例を示すフローチャート図である。
【図２】その動作の説明のための図である。
【図３】本発明の適用される検索装置（電子ブックプレーヤ）の一例の外観を示す図である。
【図４】その内部の回路構成の説明のための図である。
【図５】キー入力装置の説明のための図である。
【図６】その動作の説明のためのフローチャート図である。
【図７】その説明のための図である。
【図８】その説明のための図である。
【図９】中国語の声調の説明のための図である。
【図１０】従来の動作の説明のための図である。
【符号の説明】
【００５８】
〔１〕 入力文字列の検索終了のステップ、〔２〕 声調符号の有無判断のステップ、〔３〕 符号削除のステップ、〔４〕 入力画面に戻っての訂正のステップ
【図１】
2007115273.tif 000003
【図２】
2007115273.tif 000004
【図３】
2007115273.tif 000005
【図４】
2007115273.tif 000006
【図５】
2007115273.tif 000007
【図６】
2007115273.tif 000008
【図７】
2007115273.tif 000009
【図８】
2007115273.tif 000010
【図９】
2007115273.tif 000011
【図１０】
2007115273.tif 000012